(57)【要約】【課題】  厚さの異なる複数種類の板部材に対して適用できて、しかも抜け出しの防止が可能なモール材取付具を提供する。【解決手段】  板部材に設けた孔１０Ｈに差し込まれる量を規制する規制部と、該規制部によって規制された位置で拡開して前記板部材裏面に対面して該板部材に対して抜け出し防止可能な係止片を有する抜け出し防止部と、弾性変形により前記孔の壁面を押圧して保持する本体部３０Ｈと、モール材２０を装着させるためのモール材用装着部Ｕ１とを備えたモール材取付具であって、前記抜け出し防止部は前記規制部と前記係止片先端Ｔ１Ｅ，Ｔ２Ｅまでの距離が互いに異なる複数の係止片Ｔ１，Ｔ２を有し、板厚の異なる複数種類の板部材に対して抜け出しの防止を可能にする。【選択図】        図４
2006265945.tif 000002
【特許請求の範囲】
【請求項１】
板部材に設けた孔に差し込まれる量を規制する規制部と、該規制部によって規制された位置で拡開して前記板部材裏面に対面して該板部材に対して抜け出し防止可能な係止片を有する抜け出し防止部と、弾性変形により前記孔の壁面を押圧して保持する本体部と、モール材を装着させるためのモール材用装着部とを備えたモール材取付具であって、
前記抜け出し防止部は前記規制部と前記係止片先端までの距離が互いに異なる複数の係止片を有し、板厚の異なる複数種類の板部材に対して抜け出しの防止が可能であることを特徴とするモール材取付具。
【請求項２】
前記複数の係止片において、前記規制部と前記係止片先端までの距離が最も長い係止片以外の係止片の先端部が内側方向に屈曲して形成されている請求項１記載のモール材取付具。
【請求項３】
前記複数の係止片は、各係止片が隣接して階段状に形成されている請求項１又は２記載のモール材取付具。
【請求項４】
前記モール材のフランジ部が溝孔を区画形成しており、前記モール材用装着部は、先端部側が互いに内側に屈曲して前記溝孔の孔壁を押圧する一対のモール材保持用係止片を有しており、該各モール材保持用係止片は前記本体部から切り起こされており、前記本体部の弾性変形とは独立して弾性変形することにより前記溝孔の孔壁を押圧する請求項１〜３の何れか１記載のモール材取付具。
【請求項５】
前記モール材用装着部は、前記規制部から前記モール材保持用係止片先端までの距離よりも長い距離の位置に先端が位置するモール材用係止片を更に有し、該モール材用係止片はモール材を装着すると拡開して前記フランジの内側面に対面して該モール材に対して抜け出し防止可能な請求項４記載のモール材取付具。
【発明の詳細な説明】
【技術分野】
【０００１】
本発明は、ドア表面等の板部材に、装飾用のモール材を装着させる取付具に関する。
【背景技術】
【０００２】
一般に、玄関扉等の表面材に、装飾用のモール材を装着させ、扉に高級感を与えることが行われている。下記特許文献１には、折曲基部１０の両端に、ドア表面材に設けた取付孔１への挿入時に、その取付孔の孔壁との接触によって内向きに弾性変形する一対の挿入片１１を形成し、各挿入片の先端部に前記取付孔に係合可能なＶ字形状の屈曲片部１２を形成し、各屈曲片部の先端に、ドア表面材と係合して、取付孔の孔壁と対向する位置に屈曲片部１２を位置決めする係合片部１３を連設し、該各係合片部には、モール材のフランジ内面側縁部に対して係合可能な湾曲部１３ａを設け、この湾曲部の両端部側に抜け止め防止片１７を形成した取付具が開示されている。モール材を装着した場合、抜け止め防止片はモール材のフランジ内面と対面する位置に来て、モール材の抜け止め作用を行う。
【特許文献１】特開２０００−７４０２０号公報
【発明の開示】
【発明が解決しようとする課題】
【０００３】
然しながら、前記抜け止め防止片は特定肉厚のフランジを有するモール材に適用するものであり、種々の肉厚のフランジを有するモール材に対して適用するようには構成されておらず、この抜け止め防止片を、ドア表面材からのモール材取付具の抜け止め用に適用したとしても、複数厚さの板部材に適用することまでは想到不可能である。モール材はアルミニウムの押出形材から成るため、モール材取付具に保持されるフランジ部の板厚を統一することは容易であるが、扉の表面材の板厚は、扉に要求される性能により板厚を変える必要があるため、複数の板厚の扉表面材に対して使用できるモール材取付具があれば、モール材取付具を統一でき、その種類を一種類にしたり、或いは種類を少なくすることができる。
従って解決しようとする課題は、厚さの異なる複数種類の板部材に対して適用できて、しかも抜け出しの防止が可能なモール材取付具の提供を目的とする。
【課題を解決するための手段】
【０００４】
請求項１に係る発明では、板部材に設けた孔に差し込まれる量を規制する規制部と、該規制部によって規制された位置で拡開して前記板部材裏面に対面して該板部材に対して抜け出し防止可能な係止片を有する抜け出し防止部と、弾性変形により前記孔の壁面を押圧して保持する本体部と、モール材を装着させるためのモール材用装着部とを備えたモール材取付具であって、前記抜け出し防止部は前記規制部と前記係止片先端までの距離が互いに異なる複数の係止片を有し、板厚の異なる複数種類の板部材に対して抜け出しの防止が可能であることを特徴とするモール材取付具を提供する。
モール材取付具としては、弾性体であれば、金具の他、合成樹脂製のものでもよい。
【０００５】
請求項２では、前記複数の係止片において、前記規制部と前記係止片先端までの距離が最も長い係止片以外の係止片の先端部が内側方向に屈曲して形成されている請求項１記載のモール材取付具を提供する。
請求項３では、前記複数の係止片は、各係止片が隣接して階段状に形成されている請求項１又は２記載のモール材取付具を提供する。
【０００６】
請求項４では、前記モール材のフランジ部が溝孔を区画形成しており、前記モール材用装着部は、先端部側が互いに内側に屈曲して前記溝孔の孔壁を押圧する一対のモール材保持用係止片を有しており、該各モール材保持用係止片は前記本体部から切り起こされており、前記本体部の弾性変形とは独立して弾性変形することにより前記溝孔の孔壁を押圧する請求項１〜３の何れか１記載のモール材取付具を提供する。
請求項５では、前記モール材用装着部は、前記規制部から前記モール材保持用係止片先端までの距離よりも長い距離の位置に先端が位置するモール材用係止片を更に有し、該モール材用係止片はモール材を装着すると拡開して前記フランジの内側面に対面して該モール材に対して抜け出し防止可能な請求項４記載のモール材取付具を提供する。
【発明の効果】
【０００７】
請求項１では、モール材取付具は、その規制部の規制作用によって、板部材に設けた孔に所定位置まで挿入できて停止させられると共に、この規制位置で、抜け出し防止部の何れかの係止片が板部材の裏面に対面するため、取付具は板部材の孔から挿入側（表面側）に抜け出ない。結局、モール材取付具は規制部と何れかの係止片とによって前方にも後方にも抜けない他、弾性変形する本体部によって孔壁を押圧して保持できる。しかも、１種類のモール材取付具によって複数種類の厚さの板部材に装着適用できる。また、モール材用装着部によってモール材を装着できる。
【０００８】
請求項２では、規制部から先端までの距離が最も長い係止片以外の係止片の先端部が内側方向に屈曲している、即ち、挿入方向先部の見込み寸法が太くなる逆テーパであるため、この係止片の有する逆テーパ屈曲部が板部材の孔の孔壁を押圧する厚さを有する板部材に装着した状態では挿入方向への力が発生し、ガタつきが防止されて保持力が増す。即ち、この逆テーパ屈曲部が無くて、先細となるテーパ部のみであれば、取付具を板部材の表面側に押し出す力が生じ、この力は規制部を板部材表面から離す方向の力となって取付具にガタつきが発生するが、逆テーパ屈曲部によってこれを防止することができる。
請求項３では、複数の係止片は、各係止片が隣接して階段状に形成されているため、製作が容易となる。
【０００９】
請求項４では、モール材保持用係止片が本体部から切り起こされているため、板部材の孔への装着によって本体部が縮径しても、モール材保持用係止片は、その縮径の影響を受け難くて独立的にモール材溝孔の孔壁を押圧できる。従って、板部材の孔とは無関係にモール材を確実に保持できる。また、溝孔の孔壁を押圧するモール材保持用係止片の先端部側屈曲部は内側方向に屈曲しているため、モール材の装着にとっては逆テーパであり、装着されると、モール材を板部材に押し付ける力が発生して、モール材をガタ付き無く保持できる。
請求項５では、モール材用係止片によってモール材のフランジ内側面に係止できるため、モール材の抜け出しを確実に防止できる。
【発明を実施するための最良の形態】
【００１０】
図１は本発明に係るモール材取付具３０の展開図であり、弾力を有する金属板素材を所定形状に打ち抜いた金属板部材３０’である。これは図の中心線ＣＬに対して上下に対称な形状である。この板部材を前記中心線に平行な複数のラインに沿って折り曲げて図２に正面図を示すモール材取付具３０を形成する。図３は図２の矢視線Ｃによる側面図である。本発明に係るモール材取付具は、こうした金属板素材を使用しないで、合成樹脂を射出成形して弾力を有するように製作してもよい。
【００１１】
図２におけるモール材取付具３０の前側部３０Ａと後側部３０Ｂとは、肩部である規制部３０Ｋを境界としている。即ち、後側部３０Ｂは、左右両側の規制部３０Ｋの図２における左右方向寸法だけ前側部よりも幅広である。一方、扉の表面化粧板等の板部材には、例えば細長い矩形孔１０Ｈが形成される、この孔の長手方向寸法は、前記前側部３０Ａの左右方向寸法よりも大きく、後側部３０Ｂの左右方向寸法よりも小さくて、前側部３０Ａの左右方向寸法に近い値に設定すると装着が安定してよい。モール材取付具３０は、その前側部３０Ａを矩形孔に挿入すれば、規制部３０Ｋが板部材表面に当接して挿入が規制される。矩形孔でなく、丸孔であっても、前側部３０Ａを湾曲して対応可能である。
【００１２】
一方、モール材取付具３０には、図１の板部材に明確に現われているが、概ねＨ型の孔ＫＫが中心線ＣＬに対称に夫々穿設されており、各孔の中に、２つの係止片が併設されて階段状となった２組の階段状係止片部が対向する位置に設けられている。即ち、一つは、中心線ＣＬから遠い前側に設けられた隣接する２つの板部材用係止片Ｔ１，Ｔ２を有する階段状係止片部である。他方は、中心線に近い側に設けられて、隣接するモール材保持用係止片Ｕ１とモール材用係止片Ｕ２を有する階段状係止片部である。夫々長い係止片同士Ｔ１，Ｕ１と、短い係止片同士Ｔ２，Ｕ２が相対している。長い係止片が隣接する短い係止片に対して独立して曲り易くするために、各階段状係止片部の各係止片の境界に、割りＫ１，Ｋ２を設けている。
【００１３】
図２と図３を参照しつつ、各部の形状と作用を説明する。概括的には、挿入時には、図３に示す略Ｕ字状の全体形状がすぼまる方向に弾性変形する。まず、各階段状係止片部以外の取付部本体部の前側部３０Ａの形状と作用につき説明する。前側部３０Ａの先部３０ａは、図３において、中心線の左右両側の先部３０ａ同士が互いに近づく先細テーパ形状であり、板部材の孔への挿入が容易となる。一方、その後側領域部（後述の保持部）３０Ｈは逆テーパ状である。この逆テーパによって、モール材取付具３０を孔に挿入した時に、挿入方向に呼び込む力が発生し、規制部３０Ｋが板部材の表面に当接するように引き込め、板厚方向のガタつきを防止しつつ装着保持される。
【００１４】
次に、板部材用係止片Ｔ１，Ｔ２を有する階段状係止片部の形状と作用につき説明する。規制部３０Ｋから係止片先端Ｔ２Ｅまでの距離Ｌ２が長く、脚長が短い一対の板部材用係止片Ｔ２は挿入前方向へ先細テーパ形状であり、挿入が容易になる。一方、距離Ｌ１が短い方の脚長の長い一対の板部材用係止片Ｔ１は、板部材が厚い場合、係止片基部側が板部材の孔を挿通する部分であり、係止片先部（先端Ｔ１Ｅ側領域）が互いに内側方向に屈曲して形成されて挿入方向に対して逆テーパとなっており、その他の領域は先細テーパ状である。逆テーパ部分の意義は、厚い方の板部材に装着させた場合（図５ではなくて図４の場合）、この逆テーパ部が無ければ、即ち、先細形状のままであれば、モール材取付具を板部材の表面側に押し戻す力が作用し、ガタつきが発生するが、逆テーパ部によって挿入方向へ呼び込む力が発生し、規制部３０Ｋが板部材の表面に当接するように引き込めるため、前記ガタつきを防止できると共に、孔壁への押圧力について保持力も増す。
【００１５】
モール材取付具３０として構成された場合に、前記の規制部３０Ｋから各一対の係止片Ｔ１，Ｔ２，Ｕ１，Ｕ２の先端Ｔ１Ｅ，Ｔ２Ｅ，Ｕ１Ｅ，Ｕ２Ｅまでの各距離は、夫々所定のＬ１，Ｌ２，Ｍ１，Ｍ２である。このため、モール材取付具３０を、図４に示す所定厚さの板部材１０の矩形孔１０Ｈに挿入すると、図のような装着状態となる。即ち、通常時を示す図３における左右幅（見込み寸法）は、モール材取付具３０の本体部の前側部３０Ａでは、少なくとも保持部３０Ｈの、孔挿入時に孔壁と対向する領域においては、矩形孔の細幅よりも大きい。また、板部材用係止片Ｔ１，Ｔ２を有する階段状係止片部の各先端Ｔ１Ｅ，Ｔ２Ｅ側領域の左右幅（見込み寸法）も矩形孔の細幅よりも大きい。
【００１６】
従って、これらの領域は矩形孔への挿入時に見込み寸法が狭まるが、矩形孔から裏面側に抜け出ると、弾性的にその孔の細幅よりも大きくなる。即ち、短い板部材用係止片Ｔ２は孔から板部材の裏面側に抜けて自由になり、弾性作用によりその先端Ｔ２Ｅが左右に広がって前記板部材１０の裏面に近接して広がっている。このため、モール材取付具３０は挿入方向とは逆の方向への抜けが防止される。即ち、先端Ｔ２Ｅは抜け出し防止部として作用する。一方、前側方向への抜けは、規制部３０Ｋの存在によって防止されている。
【００１７】
上述の如く、保持部３０Ｈの孔挿入時に孔壁と対向する領域の見込み寸法は矩形孔の細幅よりも大きいため、モール材取付具３０はその挿入時には細長状矩形孔１０Ｈの細幅方向において、弾力を有して縮径しながら挿入される。こうして挿入された位置において保持部３０Ｈが孔壁に対面することになり、板厚方向に弾力性を有する保持部３０Ｈが矩形孔１０Ｈの孔壁縁部を押圧する。この際、保持部は逆テーパであるため、挿入方向へ呼び込む力が発生し、これによってガタつきを防止しつつモール材取付具を安定して保持できる。この押圧保持も一種の抜け出し防止の作用とみることができる。更にこの場合は、一対の長い板部材用係止片Ｔ１は、その先端近くの互いに内側に折れ曲った逆テーパの領域が矩形孔１０Ｈの孔壁縁部を押圧している。従って、板部材に対するモール材取付具の保持力が更に向上すると共に、モール材取付具を挿入方向に引き込む力が作用し、モール材取付具のガタつきを防止する作用を補助している。
【００１８】
こうして安定したモール材取付具３０の後側部３０Ｂに対して、裏面側の溝孔２０Ｈを介してモール材２０を押し込んで装着させる。このモール材は所定厚さのフランジ２０Ｆを有している。後側部３０Ｂの形状等について説明する。モール材取付具３０の通常時を示す図３における左右幅（見込み寸法）は、モール材取付具３０の本体部の後側部３０Ｂでは、モール材に対する相対的挿入方向の先部３０ｂは先細形状であり、その先端幅は溝孔幅よりも小さく、モール材の溝孔２０Ｈへの挿入が容易になる。その挿入方向でいって後側領域である溝孔対面部３０Ｈ’は逆テーパ状である。この例では、溝孔対面部３０Ｈ’は溝孔２０Ｈの幅よりも小さい。従って、モール材２０を挿入した際には溝孔対面部３０Ｈ’は弾性的に縮径することなく、板部材に対する抜け出し防止部である板部材用係止片Ｔ１，Ｔ２と保持部３０Ｈに影響を与えないので、板部材の保持と係止が確実となる。
【００１９】
また、モール材保持用係止片Ｕ１とモール材用係止片Ｕ２を有する階段状係止片部の形状と作用につき説明する。規制部３０Ｋからモール材用係止片Ｕ２の先端Ｕ２Ｅまでの距離Ｍ２が長い方の脚長の短い一対のモール材用係止片Ｕ２は相対的挿入方向前方へ先細テーパ形状であり、挿入が容易になる。一方、距離Ｍ１が短い方の長い一対のモール材保持用係止片Ｕ１は、係止片先部（先端Ｕ１Ｅ側領域）が互いに内側方向に屈曲して相対的挿入方向に対して（挿入時に）逆テーパとなるようになっており、その他の領域は先細テーパ状である。また、係止片Ｕ１，Ｕ２を有するモール材用階段状係止片部の各先端Ｕ１Ｅ，Ｕ２Ｅ側領域の見込み寸法は溝孔の幅よりも大きい。
【００２０】
従って、モール材保持用係止片Ｕ１とモール材用係止片Ｕ２はその見込み寸法が縮径しつつ挿入され、短い係止片Ｕ２が溝孔２０Ｈを抜け出て、弾性的に広がって、その先端Ｕ２Ｅがフランジ２０Ｆの内側面に対面する。このため、装着後にモール材の抜け出しが防止される。長い係止片Ｕ１は、その先端近くの内側（見込み寸法方向の内側）に折れ曲った逆テーパの領域が溝孔２０Ｈの孔壁縁部を押圧し、モール材に対する保持力を得ていると共に、モール材を挿入方向に引き込む力が作用し、モール材のガタつきを防止する。この長い係止片Ｕ１は、モール材取付具の本体部（３０Ｈ，３０Ｈ’等）から切り起されているため、保持部３０Ｈの縮径の影響を受け難く、実質的に独立して溝孔２０Ｈの孔壁縁部を押圧できるため、その寸法設定等の設計が容易になると共に、安定した保持力が得られる。
【００２１】
上記例とは異なり、モール材取付具本体部の溝孔対面部３０Ｈ’が溝孔２０Ｈの孔壁縁部を押圧する寸法形態であってもよい。この場合は、先部３０ｂは先細テーパ形状であり、モール材の溝孔への挿入が容易になり、先部３０ｂの元部領域と溝孔対面部３０Ｈ’の先部領域の見込み寸法は弾性的に縮径されて挿入される。また、溝孔対面部３０Ｈ’は逆テーパ状であるため、モール材を挿入させた時に、挿入方向に呼び込む力が発生し、モール材のフランジ２０Ｆ厚さ方向のガタつきを防止できる。
【００２２】
図５は、図４の板部材１０に代わり、所定量薄い板厚の板部材１０’に対して、図４と同じモール材取付具３０によって同じモール材２０を装着させた図である。この場合は、脚長が長い方の板部材用係止片Ｔ１も矩形孔３０Ｈから裏面側に抜け出て、弾性的に拡開しており、孔壁からは押圧力を受けていない。即ち、挿入していない通常時における広がり状態であり、しかも、板部材１０’が所定厚さであるため、先端Ｔ１Ｅが板部材の裏面に対面している。従って、モール材取付具３０は板部材表面側方向への抜け出しが防止されると共に、前後方向のガタが少ない。保持部３０Ｈが孔壁縁部を押圧して保持していることや、保持部が逆テーパであることによってガタつきを防止していること等は、厚い板部材１０の図４の場合と同様である。
【００２３】
以上の例では、板部材側の係止片も、モール材側の係止片も、長い係止片と短い係止片とは互いに隣接した階段状に形成されているが、夫々が離隔して形成されていてもよい。また、係止片は長いものと短いものの２種類であったが、規制部３０Ｋから各先端までの距離の異なる３種類以上の係止片を設け、板厚又はフランジ厚さの異なる３種類以上の板部材又はモール材に適用できるように構成することもできる。
【００２４】
既述のように、特許文献１では、板部材に設けた取付孔に係合可能な屈曲片部１２に連設された係合片部１３の湾曲部１３ａがモール材のフランジ内面側縁部に対して係合可能に構成されているため、モール材取付具の板部材に対する保持部と、モール材に対する保持部とが独立的には弾性変形できずに、互いに関連する。従って、モール材取付具が板部材に対して十分に保持できていても、後からモール材を保持させると、その板部材に対する保持が緩む危険があり、確実な保持ができず、不都合である。
【００２５】
そこで、板部材の孔壁への保持圧力とモール材の溝孔への保持圧力とを互いに独立的に設定可能にさせる思想の下に下記の如き発明が考えられる。
板部材に設けた孔に差し込んで、該孔の孔壁を押圧して保持する本体部を有する板部材用装着部と、フランジ部が溝孔を区画形成しているモール材を装着させるためのモール材用装着部とを具備したモール材取付具であって、該モール材用装着部には、前記本体部から切り起された切り起し部を有し、前記孔壁を押圧した際に弾性収縮する前記本体部の弾性収縮変形の影響から独立しつつ、前記切り起し部によって前記溝孔の孔壁を押圧保持できることに特徴を有するモール材取付具を提供できる。
【００２６】
図１〜図５によって説明した第１実施形態例のモール材取付具３０は、上記思想発明の１つの形態例である。しかし、上記の思想発明によるモール材取付具では、この第１形態例のように、板部材用装着部である前側部３０Ａ、板部材用係止片Ｔ１，Ｔ２、規制部３０Ｋの特定係止片構造である板部材用係止片Ｔ１，Ｔ２に起因する異なる板厚の複数種類の板部材に適用装着可能でなくてもよい。以下では、１種類の板厚の板部材に適用装着させるモール材取付具３００を第２形態例として簡単に説明する。
【００２７】
図６〜図９は、夫々が第１形態例の図１〜図４に対応し、同じ構造作用の部位には同じ記号を付している。金属板部材３００’は金属板部材３０’に相当し、モール材取付具３００はモール材取付具３０に相当している。異なるのは、板部材用装着部である前側部３０Ａ、板部材用係止片Ｔ１，Ｔ２、規制部の隣接した両板部材用係止片Ｔ１，Ｔ２が、１つの係止片（切り起し部）Ｔ１２に構成されていることである。その他は全く同様である。この係止片Ｔ１２は短い方の係止片Ｔ２と同じ作用をする。
【００２８】
従って、第２形態例の第１形態例との相違は、長い方の係止片Ｔ１に相当する係止片が無いため、異なる厚さ（より薄い板厚）の板部材に対する抜け止め作用が無いこと（図５の状態にならないこと）と、図４の状態において板部材１０の孔壁１０Ｈの縁部を押圧する力の加算分が生じないことと、係止片Ｔ１の内側に向かって折り曲げられた逆テーパ部による、モール材取付具を挿入方向に呼び込む力の付加分が生じないことのみが相違する。その他は、第１形態例において説明したことと同じであるので、ここでは説明を省略する。
【産業上の利用可能性】
【００２９】
本発明は、ドア表面等の板部材に、装飾用のモール材を装着させるモール材取付具として利用できる。
【図面の簡単な説明】
【００３０】
【図１】図１は本発明に係る第２形態例のモール材取付具の展開図である。
【図２】図２は図１の板部材を折り曲げて形成したモール材取付具の正面図である。
【図３】図３は図２の矢視線Ｃによる側面図である。
【図４】図４は第１形態例のモール材取付具の使用状態を示す部分断面図である。
【図５】図５は図４に代わる他の使用状態を示す部分断面図である。
【図６】図６は本発明に係る第２形態例のモール材取付具の展開図である。
【図７】図７は図６の板部材を折り曲げて形成したモール材取付具の正面図である。
【図８】図８は図７の側面図である。
【図９】図９は第２形態例のモール材取付具の使用状態を示す部分断面図である。
【符号の説明】
【００３１】
１０，１０’          板部材
２０                  モール材
２０Ｈ                溝孔
３０                  モール材取付具
３０Ｈ                保持部
３０Ｈ’              溝孔対面部
３０Ｋ                規制部
Ｔ１                  板部材側の長い板部材用係止片
Ｔ２                  板部材側の短い板部材用係止片
Ｕ１                  モール材側の長い係止片（モール材保持用係止片）
Ｕ２                  モール材側の短い係止片（モール材用係止片）
【図１】
2006265945.tif 000003
【図２】
2006265945.tif 000004
【図３】
2006265945.tif 000005
【図４】
2006265945.tif 000006
【図５】
2006265945.tif 000007
【図６】
2006265945.tif 000008
【図７】
2006265945.tif 000009
【図８】
2006265945.tif 000010
【図９】
2006265945.tif 000011